(57)【要約】【課題】  表示面積や解像度が限られた携帯端末等の表示画面に分かり易い番組表を表示することができる電子機器、番組表表示方法及び番組表表示プログラムを提供する。【解決手段】  カメラ付き携帯電話機１０は、装置全体を制御するとともに、ＥＰＧを取得し、取得したＥＰＧを基に、チャンネル、時間帯、及びジャンル名の組み合わせからなる番組表を作成して表示部３５に表示する制御を行う制御部３１を備える。【選択図】      図３
2006211053.tif 000002
【特許請求の範囲】
【請求項１】
電子番組表を取得する電子番組表取得手段と、
取得した電子番組表を基に、チャンネル、時間帯、及びジャンル名の組み合わせからなる番組表を作成する番組表作成手段と、
作成した番組表を表示する表示手段と
を備えることを特徴とする電子機器。
【請求項２】
前記番組表作成手段は、
前記チャンネルと前記時間帯とを両軸として区切られる区分に、前記ジャンル名のみを表示する番組表を作成することを特徴とする請求項１記載の電子機器。
【請求項３】
前記番組表作成手段は、
前記ジャンル名が選択されたとき、該選択されたジャンル名の番組名を含む詳細情報をを表示する番組表を作成することを特徴とする請求項１又は２に記載の電子機器。
【請求項４】
前記表示部を備える電子機器は、携帯電話機、携帯情報端末、携帯型映像再生装置、又は携帯型テレビジョン装置であることを特徴とする請求項１乃至３のいずれか一項に記載の電子機器。
【請求項５】
電子機器の表示部に番組表を表示する番組表表示方法であって、
電子番組表を取得するステップと、
取得した電子番組表を基に、チャンネル、時間帯、及びジャンル名の組み合わせからなる番組表を作成するステップと、
作成した番組表を表示するステップと
を有することを特徴とする番組表表示方法。
【請求項６】
請求項５に記載のステップをコンピュータに実行させるためのプログラム。
【発明の詳細な説明】
【技術分野】
【０００１】
本発明は、携帯電話機などの比較的小さな画面表示部を備える電子機器、番組表表示方法及び番組表表示プログラムに関する。
【背景技術】
【０００２】
近年、テレビジョン放送もアナログ放送からデジタル放送に急速に移行している。このデジタル放送では、アナログ放送に比べて多チャンネル化が図られると同時に、受信機での番組選択に必要な情報（番組情報）をサービス情報として番組と共に伝送している。ユーザは、この番組情報を受信機の表示画面に表示し、放送番組の確認、視聴予約、録画予約等に利用することができる。
【０００３】
デジタル・テレビジョン放送では、このように番組情報が番組と同時に伝送され、ユーザヘの便宜が図られている。しかし、チャンネル数の増大とともに放送される番組が飛躍的に増大しているため、ユーザにとっては、なお、放送番組の確認、視聴予約、録画予約等を行うには多大な労を要するという問題が存在する。このような状況で、自動着信によって番組予約をする予約受付登録手段を持つことにより、外部から通信網を介して記録機器を駆動可能とする装置が特許文献１に開示されている。
【０００４】
例えば、ＢＳデジタル放送では、テレビジョン信号に電子プログラムガイドのための情報（以下「ＥＰＧ（Electrical Program Guide：電子番組ガイド）情報」という）が、映像や音声信号などと多重化されて伝送される。ＥＰＧ情報は番組の放送スケジュールを示し、放送の受信装置は、そのＥＰＧ情報に対応してモニタに番組表を表示する。ユーザは、モニタに表示された番組表に含まれる番組のうちから、視聴する番組を選択すればよい。選択された番組がそのとき放送されているものでなければ、その番組の視聴又は録画が予約されたことになる。
【０００５】
ＥＰＧ情報は繰り返し放送され、番組の放送スケジュールに変更があると、その変更は放送局側でＥＰＧ情報に反映される。例えば番組の追加があっても、変更されたＥＰＧ情報に対応する番組表でその番組を見つければ、視聴や録画予約のために、ユーザは、追加された番組を選択して視聴したり、新たに録画予約を行ったりすることができる。
【０００６】
また、特許文献２には、バスを介して接続されているＡＶ機器同士が連携して簡単にタイマ予約やその予約管理を行うＡＶ機器システムが開示されている。また、特許文献３には、電子メールを使って遠隔ＡＶ機器をコントロールする遠隔操作システムが開示されている。
【０００７】
ユーザが外出しているのであれば、携帯電話機を利用して番組表を確認することができる。ＥＰＧ情報は放送により提供されるだけでなく、インターネットを通じても提供されており、特許文献４には、ユーザがブラウザ機能を有した携帯電話機で番組表を確認し、さらに番組の録画予約を行うシステムが開示されている。
【０００８】
また、特許文献５には、番組のジャンル別に番組表を構成すること、及び特定の番組ジャンルを検索して検索した結果から番組表を作成する電子番組表表示方法が開示されている。
【０００９】
【特許文献１】特開昭６３−２８５７４６号公報
【特許文献２】特開平１１−１７７９１９号公報
【特許文献３】特開２００２−３４４６４４号公報
【特許文献４】特開２００１−１４５１４０号公報
【特許文献５】特開２０００−１３７０６号公報
【発明の開示】
【発明が解決しようとする課題】
【００１０】
しかしながら、このような従来の番組表表示方法にあっては、番組名をそのまま表示していたため、情報量が多すぎて同じ時間帯の他のチャンネルや、同じチャンネルの前後の時間情報を細かく表示することができなかった。また、表示枠の制約により番組名も省略された形で表示されることが多かった。
【００１１】
特に、携帯電話機等の携帯端末に番組表を表示する場合、表示可能な表示面積や解像度は限られている。このため、番組の一覧性が十分でないことも多く、最新の番組表に追加された番組が含まれていても、ユーザが見過ごしてしまう可能性がある。上記特許文献５では、番組ジャンルごとに番組ジャンル画像データを用意しておき、これを表示することでジャンル別の番組一覧表を作成することで一覧性を確保しようとする。しかし、上記特許文献５の技術は、携帯電話機等の携帯端末に番組表を表示することを想定したものではないため、表示面積や解像度が小さい携帯端末に番組表を表示する場合には、番組の一覧性は十分ではないという解決課題があった。
【００１２】
本発明は、このような課題に鑑みてなされたものであって、表示面積や解像度が限られた携帯端末等の表示画面に分かり易い番組表を表示することができる電子機器、番組表表示方法及び番組表表示プログラムを提供することを目的とする。
【課題を解決するための手段】
【００１３】
本発明の電子機器は、電子番組表を取得する電子番組表取得手段と、取得した電子番組表を基に、チャンネル、時間帯、及びジャンル名の組み合わせからなる番組表を作成する番組表作成手段と、作成した番組表を表示する表示手段とを備えることを特徴としている。
【００１４】
より好ましい具体的な態様として、前記番組表作成手段は、前記チャンネルと前記時間帯とを両軸として区切られる区分に、前記ジャンル名のみを表示する番組表を作成するものである。
【００１５】
また、前記番組表作成手段は、前記ジャンル名が選択されたとき、該選択されたジャンル名の番組名を含む詳細情報をを表示する番組表を作成することがより好ましい。
【００１６】
具体的な態様として、前記表示部を備える電子機器は、携帯電話機、携帯情報端末、携帯型映像再生装置、又は携帯型テレビジョン装置である。
【００１７】
本発明の番組表表示方法は、電子機器の表示部に番組表を表示する番組表表示方法であって、電子番組表を取得するステップと、取得した電子番組表を基に、チャンネル、時間帯、及びジャンル名の組み合わせからなる番組表を作成するステップと、作成した番組表を表示するステップとを有することを特徴としている。
【００１８】
他の観点から、本発明は、上記ステップをコンピュータに実行させるためのプログラムである。
【発明の効果】
【００１９】
以上、詳述したように、本発明によれば、小さな又は解像度の限られた表示画面に、より広範囲な時間帯／チャンネル数を一覧表示することができ、一覧性向上によりユーザへの情報提供量を増やすことができる。
【発明を実施するための最良の形態】
【００２０】
以下、添付図面を参照しながら本発明の好適な電子機器の実施の形態について詳細に説明する。
【００２１】
図１は、本発明の実施の形態の電子機器の外観を示す図であり、図１（ａ）はその正面図、図１（ｂ）はその背面図である。本実施の形態の電子機器は、カメラ付き携帯電話機／ＰＨＳ（Personal Handy-Phone System）の携帯通信端末に適用した例である。
【００２２】
図１において、１０は、カメラ付き携帯電話機（電子機器）であり、携帯電話機１０の本体１０ａは、無線通信を行うためのアンテナ１１、本体１０ａ背面に内蔵され対象となる画像情報を入力するカメラ１２、本体１０ａ背面に内蔵され撮像時に発光する白色ＬＥＤ等からなるライト１３、受話を行うための拡声用スピーカ１４、操作のためのガイダンスや受信情報，画像やテキスト情報など、さらには番組表などの情報をカラー表示するＬＣＤ表示部１５（表示手段）、電源のＯＮ／ＯＦＦを行う電源キー１６、着信，発信，電話機能切り替え，動作決定等を行う電話機能キー１７、各種機能を切り替えるためのモードキー１８、上下左右の方向に選択対象を移動させるカーソルキー１９、カメラ１２の入力を決定するシャッターボタンであるシャッターキー２０、ライト１３をＯＮ／ＯＦＦするライトＯＮ／ＯＦＦボタン２１、電話番号の入力等ダイヤルするダイヤルキー２２、及び音声を入力するためのマイク２３を備えて構成される。
【００２３】
ＬＣＤ表示部１５は、ドットマトリクス構成のカラー表示可能なＬＣＤディスプレイ，バックライトであるＰＤＰ，ＥＬ及び各ドライバ等で構成される。ＬＣＤ表示部１５には、ＥＰＧ表示モード時、作成した番組表５０が表示される。なお、通常時にはダイヤルキー２２から入力された番号や、非電話機能のための各種画面、電話機能の動作状態を示すアイコン等が表示される。また、待機時には時刻が表示され、個人情報やシステムの状態などを表示する。
【００２４】
電源キー１６、電話機能キー１７、モードキー１８、カーソルキー１９、シャッターキー２０、ライトＯＮ／ＯＦＦボタン２１及びダイヤルキー２２は、いずれも手動で操作を行い、操作された内容を制御部３１（図２）に情報として伝達する。
【００２５】
図２は、番組表表示機能をカメラ付き携帯電話機に組込んだ場合のブロック図である。
【００２６】
図２において、携帯電話機１０は、ＰＤＡ（Personal Digital Assistants）等の携帯情報端末やＰＨＳ／携帯電話機であり、本装置全体を制御するＣＰＵからなる制御部３１（電子番組表取得手段，番組表作成手段）、制御プログラムや固定データ等を記憶するＲＯＭ，ＣＰＵの作業用記憶領域であるＲＡＭ等の半導体メモリ及びハードディスクなどからなり受信又は入力された文字情報、画像情報、音声信号を記憶する記憶メモリ３２、対象となる画像情報を入力するカメラ３３、バーコード読み取り時等にユーザ操作により発光するライト３４、文字情報や画像情報、番組表をカラー表示する表示部３５（表示手段）、ユーザからのキー操作情報を入力生成するキー入力部３６、電波を送受信するアンテナ３７、無線通信の送受信を制御する無線部３８、音声信号を出力するスピーカ３９、ユーザから音声信号を入力するマイク４０を備えて構成される。
【００２７】
無線部３８は、所定のサービスサイトに無線通信でアクセスしてインターネットに接続し、インターネットを経由してＥＰＧデータをダウンロードする。
【００２８】
制御部３１は、携帯電話機１０全体を制御するとともに、ＥＰＧを取得し、取得したＥＰＧを基に、チャンネル、時間帯、及びジャンル名の組み合わせからなる番組表を作成して表示部３５に表示する制御を行う。具体的内容については、図５のフローにより後述する。
【００２９】
ＥＰＧの種類は限定されず、例えばＧガイド、ＡＤＡＭＳ−ＥＰＧ、インターネットから番組データを取得するｉＥＰＧ，ＤＥＰＧ，ＡＤＡＭＳ−ＥＰＧ+でもよい。本実施の形態では、チューナを持たないカメラ付き携帯電話機１０に番組表作成機能を適用した関係から、ＥＰＧはインターネットを経由して取得する態様を示したが、どのような取得方法でもよい。例えば、デジタル放送番組の付帯情報等から取得できることは勿論のこと、カメラ３３により撮像したＱＲコードから番組表情報を取得することも可能である。
【００３０】
図３及び図４は、ＥＰＧを基に作成された番組表の一例を示す図であり、図３は、その基本の番組表を、図４は、その選択されたジャンルの詳細な番組表を示す。作成された番組表は、ＥＰＧ表示モード時に、カメラ付き携帯電話機１０のＬＣＤ表示部１５の表示画面（図１参照）に表示される。携帯電話機１０の表示画面は、設置型テレビジョン受信機やモバイル型ＴＶなどの表示画面及び解像度に比べて非常に小さいので、図３に示す番組表が一覧性の点で特に優れている。
【００３１】
図３において、ＥＰＧを基に作成される番組表５０は、チャンネル（ｃｈ）５１と時間５２とを両軸とする枠内に、ジャンル名５３のみを表示することを特徴とする。チャンネル５１と時間５２は、縦軸と横軸が逆でもよい。
【００３２】
従来の番組表は、番組名又は番組名と内容を表示するか、あるいは番組名とジャンル名を表示していた。これ対して、本実施の形態に係る番組表５０は、番組名を表示せずにジャンル名のみを表示するものである。ジャンル名であれば３文字程度で表示可能である。
【００３３】
本実施の形態では、基本画面でジャンル名だけの番組表５０を構成しているが、これは以下のような観点に基づいている。すなわち、携帯電話機１０の表示画面は、設置型テレビジョン受信機やモバイル型ＴＶなどの表示画面及び解像度に比べて非常に小さく、この小さい表示画面に一覧性の優れた番組表を表示する必要がある。従来例では、一覧性を担保するため番組名や番組名とジャンル名を表示していた。しかし、番組名はジャンル名よりも長いものが多く、非常に長い番組名も存在する。従って、番組名だけを表示したとしても小さい表示画面に表示できる従来の番組表には限界があった。本例では、(1)利用頻度が多いほど、その時間帯に放送されている番組への理解は高い、(2)わさわざ番組名を表示しなくても、ジャンル名があれば容易に想像が付く、との観点から、基本画面では番組名を表示せずにジャンル名のみを表示し、選択した区分があれば、その部分についてのみ、番組名や番組情報の詳細を表示する（後述する図４参照）。
【００３４】
このように、ジャンル名という表示情報量が少ない区分を用いて番組表５０を作成しているため、本番組表５０は、より広範囲な時間帯／チャンネル数を一覧表示することができ、一覧性を向上してユーザへの情報提供量を増やすことができる。
【００３５】
図４は、図３に示すジャンル名のみの番組表５０からある区分を選択し、選択した区分の番組名や番組情報の詳細が表示された番組表５０Ａを示している。
【００３６】
図４では、図３の番組表５０において、ユーザが１チャンネルの１０時のジャンル名「ドラマ」を選択した場合の例である。選択した部分５３Ａの番組名「連続ドラマ〔再〕」と詳細情報「冬のソナタ…」が表示されるとともに、この時間帯（ここでは１０時）に含まれる他の番組名「気象情報」の詳細についても表示される。選択した部分５３Ａ以外は、図３と同様にジャンル名５３のみ表示され、できるだけ一覧性が確保される。なお、本例では、選択した部分５３Ａについて番組名と詳細情報を表示する例を示したが、選択した部分５３Ａが含まれるチャンネル（ここでは１ｃｈ）、及び／又は時間帯（ここでは１０時）全部について番組名と詳細情報を表示する態様でもよい。この場合は該当チャンネル又は時間帯における詳細情報による比較検討が容易であるという効果がある。但し、本例に比べて一覧性は減少する。
【００３７】
上記ジャンル名は、どのようなものでもよく、例えば「スポーツ」「音楽」「アニメ」「ドラマ」のような大分類でもよく、また「ニュース」は「総合／報道／海外ニュース」「スポーツニュース」など、「スポーツ」は「野球」「サッカー」「相撲」などより詳細な分類でもよい。
【００３８】
以下、上述のように構成されたカメラ付き携帯電話機１０の番組表作成・表示動作を説明する。
【００３９】
図５は、番組表作成・表示動作を示すフローチャートであり、図２の制御部３１により実行される。図中、Ｓはフローの各ステップを示す。
【００４０】
まず、ステップＳ１でカメラ付き携帯電話機１０がＥＰＧ表示モードにあるか否かを判別し、ＥＰＧ表示モードになければそのまま本フローを終了する。ＥＰＧ表示モードにあるときは、ステップＳ２でインターネットを通じて提供されている番組データを取得する。本実施の形態では、携帯端末の小さい表示画面への番組表表示例として、カメラ付き携帯電話機１０に適用した例であり、チューナ機能は有していないが、インターネットを通じたブラウザ機能を有している。したがって、モバイル型ＴＶのように、放送信号に重畳されている番組付帯情報からＥＰＧを取得するのではなく、インターネットから番組データを取得する。この具体例としては、ｉＥＰＧ，ＤＥＰＧ，ＡＤＡＭＳ−ＥＰＧ+がある。なお、ＥＰＧ取得はどのような方法でもよく、デジタル放送が一般化すればチューナ・モジュールも１チップ化され各種携帯端末に簡単に搭載されることが予想される。デジタル放送信号に重畳されている番組付帯情報からＥＰＧを取得することも容易であろう。
【００４１】
ステップＳ３では、取得したＥＰＧからジャンル名のみの番組表５０を作成し、ステップＳ４で作成したジャンル名のみの番組表５０を表示する。例えば、図３に示すジャンル名のみの番組表が、カメラ付き携帯電話機１０のＬＣＤ表示部１５の小さな表示画面に表示される。図３に示すように、基本画面ではジャンル名のみの番組表であるため、広範囲な時間帯／チャンネル数を一覧表示することができる。これにより、従来の携帯電話機を利用して番組表を確認するシステム（例えば、特許文献４）に比べ概ね２倍程度の時間帯／チャンネル数を一覧表示することが可能である。ここで、上記表示画面に表示される番組表５０は、現在の日時に対応した時間帯の番組が番組表５０の先頭に来るように表示される。図３では、現在時刻が朝９時の時間帯であるため、各チャンネルの９時の時間帯から１８時までの時間帯のジャンル名のみの番組表５０が表示される。なお、指定により時間的に後の番組表の表示は可能である。
【００４２】
次いで、ステップＳ５でジャンル名のみで表示された番組表５０からユーザにより任意のジャンル名が選択されたか否かを判別し、ジャンル名が選択されなければそのまま本フローを終了し、ＥＰＧ表示モードが解除されるまで図３に示すジャンル名のみで表示された番組表５０の表示を継続する。
【００４３】
表示された番組表からジャンル名が選択された場合には、ステップＳ６で選択されたジャンル名における詳細情報を表す番組表５０Ａ、すなわち番組名と詳細情報とその時間帯にある他の放送番組を表す番組表５０Ａを表示する。例えば、図４に示すように、ユーザ選択した部分５３Ａの番組名「連続ドラマ〔再〕」と詳細情報「冬のソナタ…」と、この時間帯（ここでは１０時）に含まれる他の番組名「気象情報」が表示される。また、選択した部分５３Ａ以外は、ジャンル名５３のみが表示される。
【００４４】
この状態で、ステップＳ７でユーザによる予約設定があるか否かを判別し、予約設定がなければ一定時間経過後（例えば１０秒後）にジャンル名のみの番組表５０（図３）の表示に戻して本フローを終了する。なお、直前に戻るキー操作が行われた場合もジャンル名のみの番組表５０の表示に戻る。
【００４５】
予約設定があれば、ステップＳ９でインターネットを経由した番組の録画予約／視聴予約処理を行って本フローを終了する。インターネットを経由した番組の録画予約は公知であり、例えば特許文献４記載の技術がある。
【００４６】
図６及び図７は、ＥＰＧを基に作成された番組表の他の例を示す図であり、図６は、その基本の番組表６０を、図７は、その細ジャンルが表示された番組表６０Ａを示している。
【００４７】
図６に示す番組表６０は、ジャンル名６３のみを表示する番組表であるが、縦軸にジャンル名６３を、横軸に時間６２をとり、ジャンル名６３と時間６２とを両軸とする枠内に、該当するジャンルを放送する番組のチャンネル（ｃｈ）６１を表示する。この番組表６０の表示は、図５のステップＳ３，ステップＳ４を変更することで容易に実現できる。
【００４８】
また、図７は、ユーザ指定によりジャンル名６３のより詳細な細ジャンル６３Ａが表示された番組表６０Ａを示している。図７に示すように、「ニュース」は「朝のワイドニュース」「定時ニュース」などに、また「スポーツ」は「サッカー」「野球」など、より細ジャンル６１Ａが表示される。この番組表６０Ａの表示は、図５のステップＳ５，ステップＳ６を変更することで容易に実現できる。
【００４９】
このように、ジャンル名６３と時間６２とを両軸にとり、該当するジャンルのチャンネル（ｃｈ）６１を番組表６０として表示するので、ユーザは、時間帯毎に、所望のジャンルが放送されるチャンネルを容易に知ることができる。また、必要に応じてジャンル名のより詳細な情報を知ることができる。
【００５０】
ここで、図３及び図４に示す番組表５０，５０Ａと図６及び図７に示す番組表６０，６０Ａとを併用し、両者を相互に切り替えて使用してもよく、このようにすればよりユーザの利便性を向上させることができる。
【００５１】
以上のように、本実施の形態のカメラ付き携帯電話機１０は、装置全体を制御するとともに、ＥＰＧを取得し、取得したＥＰＧを基に、チャンネル、時間帯、及びジャンル名の組み合わせからなる番組表を作成して表示部３５に表示する制御を行う制御部３１を備えているので、ジャンル名という表示情報量が少ない区分を用いて番組表５０を作成することができる。これにより、携帯電話機１０のＬＣＤ表示部１５という小さな表示画面に、より広範囲な時間帯／チャンネル数を一覧表示することができ、一覧性向上によりユーザへの情報提供量を増やすことができる。さらに、ユーザ操作によって選択されたジャンル名の番組名や番組情報の詳細を表示することができる。すなわち、ジャンル名のみの番組表表示により一覧性を確保した上で、必要な場合はその詳細情報を知ることができる。本実施の形態のカメラ付き携帯電話機１０のように、小さな表示画面しかない電子機器において、多くのチャンネル数及び時間帯を一覧表示できる番組表は使い勝手が非常に良い。また、利用頻度が多いほど、その時間帯に放送されている番組への理解は高く、わさわざ番組名を表示しなくても、ジャンル名があれば容易に想像が付くことが想定される。
【００５２】
以上の説明は本発明の好適な実施の形態の例証であり、本発明の範囲はこれに限定されることはない。
【００５３】
なお、上記実施の形態では、携帯電話機、ＰＨＳ等の携帯電話に適用した例であるが、ＰＤＡや携帯型ＴＶにも適用可能である。また、携帯パソコン等の情報処理装置等の制御にも応用できる。また、ＥＰＧデータは、どのようなデータであってもよい。
【００５４】
また、上記実施の形態は、携帯電話機などの比較的小さな画面表示部を備える電子機器に適用した例であるが、据置き型テレビジョン受信装置など大画面表示部を有する表示装置の子画面表示にも応用が可能である。
【００５５】
また、本実施の形態では、電子機器、携帯端末装置、情報提供システムという名称を用いたが、これは説明の便宜上であり、携帯端末装置、番組表表示装置や番組表予約方法等でもよいことは勿論である。
【００５６】
また、上記カメラ付き携帯電話機を構成する各回路部、例えば記憶部や表示部の種類、数及び接続方法などは前述した実施の形態に限られない。
【００５７】
また、以上説明した電子機器は、この電子機器を機能させるためのプログラムでも実現される。このプログラムはコンピュータで読み取り可能な記録媒体に格納されている。本発明では、この記録媒体として、図２に示されている記憶メモリ３２のメインメモリそのものがプログラムメディアであってもよいし、また外部記憶装置としてＣＤ−ＲＯＭドライブ等のプログラム読み取り装置が設けられ、そこに記録媒体を挿入することで読み取り可能なＣＤ−ＲＯＭ等のプログラムメディアであってもよい。いずれの場合でも、格納されているプログラムは制御部３１のＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め各装置に格納されているものとする。
【図面の簡単な説明】
【００５８】
【図１】本発明の実施の形態の電子機器の外観を示す図である。
【図２】本実施の形態の電子機器の番組表表示機能をカメラ付き携帯電話機に組込んだ場合のブロック図である。
【図３】本実施の形態の電子機器のＥＰＧを基に作成された番組表の一例を示す図である。
【図４】本実施の形態の電子機器のＥＰＧを基に作成された番組表の一例を示す図である。
【図５】本実施の形態の電子機器の番組表作成・表示動作を示すフローチャートである。
【図６】本実施の形態の電子機器のＥＰＧを基に作成された番組表の他の例を示す図である。
【図７】本実施の形態の電子機器のＥＰＧを基に作成された番組表の他の例を示す図である。
【符号の説明】
【００５９】
１０  カメラ付き携帯電話機（電子機器）
１０ａ  携帯電話機本体
１１，３７  アンテナ
１２，３３  カメラ
１３，３４  ライト
１４，３９  スピーカ
１５，３５  ＬＣＤ表示部（表示手段）
１６  電源キー
１７  電話機能キー
１８  モードキー
１９  カーソルキー
２０  シャッターキー
２１  ライトＯＮ／ＯＦＦボタン
２２  ダイヤルキー
２３，４０  マイク
３１  制御部（電子番組表取得手段，番組表作成手段）
３２  記憶メモリ
３６  キー入力部
５０，６０  基本の番組表
５０Ａ，６０Ａ  ジャンル名が選択された番組表
５１，６１  チャンネル（ｃｈ）
５２，６２  時間帯
５３，６３  ジャンル名
５３Ａ，６３Ａ  細ジャンル
【図１】
2006211053.tif 000003
【図２】
2006211053.tif 000004
【図３】
2006211053.tif 000005
【図４】
2006211053.tif 000006
【図５】
2006211053.tif 000007
【図６】
2006211053.tif 000008
【図７】
2006211053.tif 000009